(57)【要約】【課題】２色のＬＥＤ表示装置から３色のマルチカラーＬＥＤ表示装置に変更する際に、２色ＬＥＤ表示装置の信号発生器のソフトウエア変更だけでマルチカラー表示が可能なＬＥＤ表示装置を提供する。【解決手段】３色ＬＥＤ２をマトリックス状に配列した表示パネル１と、点灯ライン制御用のラインドライバ１５と、各色ＬＥＤを点灯するための３つの信号処理回路１０Ｒ，１０Ｇ，１０Ｂとを備え、２つの信号処理回路１０Ｒ，１０Ｂを直列に接続し、この直列に接続された信号処理回路１０Ｒ，１０Ｂに２色のＬＥＤ点灯用データを直列に混合して送る第１の信号発生器１６ＲＢを設け、信号処理回路１０Ｇに残りの１色のＬＥＤ点灯用データを送る信号発生器１６Ｇを設けたＬＥＤ表示装置。【選択図】　図１
2004037698.tif 000002
【特許請求の範囲】
【請求項１】
３色ＬＥＤをマトリックス状に配列した表示パネルと、点灯ライン制御用のラインドライバと、各色ＬＥＤを点灯するための３つの第１，第２および第３の信号処理回路とを備え、
前記３つの信号処理回路のうち第１及び第２の信号処理回路を直列に接続し、この直列に接続された第１及び第２の信号処理回路に２色のＬＥＤ点灯用データを直列に混合して送る第１の信号発生器を設け、
前記第３の信号処理回路に残りの１色のＬＥＤ点灯用データを送る第２の信号発生器を設けたことを特徴とするＬＥＤ表示装置。
【請求項２】
点灯ラインを指定するためのアドレス信号の１ラインの間に前記表示パネルの列を指定するシフトクロックを前記列の数の２倍の周波数とし、シフトクロックの前半で前記第１の信号発生器で生成される第１のＬＥＤ点灯用データを送り前記シフトクロックの後半で前記第１の信号発生器で生成される第２のＬＥＤ点灯用データを送るとともに、前記シフトクロックの前半でＬＥＤ点灯用データの送出を停止し、前記シフトクロックの後半で前記第２の信号発生器で生成される第３のＬＥＤ点灯用データを送るようにした請求項１記載のＬＥＤ表示装置。
【発明の詳細な説明】
【０００１】
【発明の属する技術分野】
本発明は、カラー電光掲示板などの文字表示に使用されるＬＥＤ表示装置に関する。
【０００２】
【従来の技術】
駅の構内や列車の車内、あるいは店頭などに設置されるＬＥＤ表示装置は、ＬＥＤを横方向（Ｘ方向）、縦方向（Ｙ方向）にマトリックス状に配置したＬＥＤ表示パネルを用い、任意の位置のＬＥＤをＸ方向とＹ方向とで指定して点灯させ、文字、絵等を表示するものである。
【０００３】
このようなＬＥＤ表示装置に用いられる２色ＬＥＤ表示パネルとしては、例えば図５に示すように、Ｘ方向に１６ドット、Ｙ方向に１６ドットの２５６ドットで構成され、各ドットには例えば赤（Ｒ）と緑（Ｇ）の２色ＬＥＤ２１が配列されたＬＥＤ表示パネル２０が使用されている。
【０００４】
図６に、この２色のＬＥＤ表示パネル２０を用いたＬＥＤ表示装置のブロック図を示す。この装置は、ＬＥＤ点灯のための２系統の信号処理回路１０Ｒ，１０ＧがＸ方向に設けられ、Ｙ方向にはＲ，Ｇ共通のデコーダ１４とＹラインドライバ１５を備えている。信号処理回路１０Ｒ，１０Ｇは、それぞれシフトレジスタ１１Ｒ，１１Ｇと、ラッチ１２Ｒ，１２Ｇと、ドライバ回路１３Ｒ，１３Ｇとからなっている。シフトレジスタ１１Ｒ，１１Ｇには、それぞれ赤ＬＥＤ点灯用データを生成する信号発生器１６Ｒと緑ＬＥＤ点灯用データを生成する信号発生器１６Ｇが接続されている。
【０００５】
これらの信号処理回路１０Ｒ，１０Ｇおよびデコーダ１４とＹラインドライバ１５には、図７（ａ）に示す点灯ラインを制御するアドレス信号、（ｂ）に示すデータ転送のためのシフトクロック信号、（ｃ）に示すＬＥＤ点灯オン・オフ信号となるデータ、（ｄ）に示す点灯のタイミングを与えるラッチ信号が入力される。なお、（ｅ）に示すイネーブル信号はＬＥＤ２１のオン・オフを直接制御する信号である。
【０００６】
制御信号としてはＹライン単位で、Ｘ方向の必要なドット数のＬＥＤオン・オフ信号をシフトクロックに同期させて入力する。シフトクロックの数は、横方向１６ドットの表示パネルであれば１６クロック分である。
【０００７】
データ入力終了後、ラッチ信号はドライバ回路１３Ｒ，１３Ｇを制御し、データのオン・オフ信号を保持する。
【０００８】
ラッチ信号で保持された信号はドライバ回路１３Ｒ，１３Ｇを制御し、データのオン・オフ信号により所定の位置のＬＥＤ２１が発光する。
【０００９】
Ｙのｎラインが発光している時、Ｙｎ＋１ラインのデータがシフトレジスタ１１Ｒ，１１Ｇに入力され、データ転送後、ラッチ信号により保持され、アドレス信号切り替えによりＹのｎ＋１ラインのデータがＹｎ＋１に表示される。
【００１０】
上記の信号処理をＹ１からＹ１６まで繰り返し行い、図７（ｆ）に示すようにＬＥＤ表示パネル２０の１画面を表示する。一般的には１秒間に１００画面以上表示させる。
【００１１】
以上の２色のＬＥＤ表示パネルのコントローラの構成を図８（ａ）に示す。コントローラは、点灯用データが書き込まれるデータＲＡＭ１７と、赤の画像信号を生成するビデオＲＡＭ１８Ｒと、緑の画像信号を生成するビデオＲＡＭ１８Ｇと、ＬＥＤ表示パネルへの点灯信号を制御するＣＰＵ１９とからなる。ＣＰＵ１９では、図８（ｂ）に示すように、データＲＡＭ１７から送られてくる点灯用データをシフトクロック信号の周期でビデオＲＡＭへ展開し、赤、緑の点灯データを生成し、ＬＥＤ表示パネルに出力する。
【００１２】
【発明が解決しようとする課題】
以上は２色のＬＥＤ表示パネルを用いたＬＥＤ表示装置の説明であるが、青色ＬＥＤが実用化されたことから、２色のＬＥＤ表示装置からＲＧＢの３色を用いたマルチカラーのＬＥＤ表示装置が望まれている。３色のＬＥＤを用いたＬＥＤ装置の場合、図９（ａ）に示すように、青のビデオＲＡＭ１８Ｂを追加して、（ｂ）に示すように各ビデオＲＡＭ毎に点灯信号を処理するなど、信号処理回路を３系統用いればいいのであるが、３色のＬＥＤ表示パネルと信号処理回路の他に１系統分の制御信号を生成するための信号発生器が増えるので回路が複雑化すると共にコストアップになる。また、既存の２色のＬＥＤ表示装置を３色に変更するとき、信号発生器にかかるコストが増加するという問題がある。
【００１３】
本発明は、２色のＬＥＤ表示装置から３色のマルチカラーＬＥＤ表示装置に変更する際に、２色ＬＥＤ表示装置の信号発生器のソフトウエア変更だけでマルチカラー表示が可能なＬＥＤ表示装置を提供することを目的とする。
【００１４】
【課題を解決するための手段】
本発明のＬＥＤ表示装置においては、３つの信号処理回路のうち第１及び第２の信号処理回路を直列に接続し、この直列に接続された第１及び第２の信号処理回路に２色のＬＥＤ点灯用データを直列に混合して送る第１の信号発生器を設け、前記第３の信号処理回路に残りの１色のＬＥＤ点灯用データを送る第２の信号発生器を設けたものである。
【００１５】
この発明によれば、２色のＬＥＤ表示装置から３色のマルチカラーＬＥＤ表示装置に変更する際に、２色ＬＥＤ表示装置の信号発生器のソフトウエア変更だけでマルチカラー表示が可能なＬＥＤ表示装置が得られる。
【００１６】
【発明の実施の形態】
本発明の請求項１に記載の発明は、３色ＬＥＤをマトリックス状に配列した表示パネルと、点灯ライン制御用のラインドライバと、各色ＬＥＤを点灯するための３つの第１，第２および第３の信号処理回路とを備え、前記３つの信号処理回路のうち第１及び第２の信号処理回路を直列に接続し、この直列に接続された第１及び第２の信号処理回路に２色のＬＥＤ点灯用データを直列に混合して送る第１の信号発生器を設け、前記第３の信号処理回路に残りの１色のＬＥＤ点灯用データを送る第２の信号発生器を設けたことを特徴とするＬＥＤ表示装置としたものであり、２つの信号発生器を設けるのみで３色のＬＥＤ表示パネルが点灯表示されるという作用を有する。
【００１７】
請求項２に記載の発明は、点灯ラインを指定するためのアドレス信号の１ラインの間に前記表示パネルの列を指定するシフトクロックを前記列の数の２倍の周波数とし、シフトクロックの前半で前記第１の信号発生器で生成される第１のＬＥＤ点灯用データを送り前記シフトクロックの後半で前記第１の信号発生器で生成される第２のＬＥＤ点灯用データを送るとともに、前記シフトクロックの前半でＬＥＤ点灯用データの送出を停止し、前記シフトクロックの後半で前記第２の信号発生器で生成される第３のＬＥＤ点灯用データを送るようにした請求項１記載のＬＥＤ表示装置であり、ソフトウエアによる処理のみで３色ＬＥＤが表示制御されるという作用を有する。
【００１８】
以下、本発明の実施の形態について、図１から図４を用いて説明する。
【００１９】
図１は本実施の形態に係るＬＥＤ表示装置のブロック図、図２は制御信号のタイミングチャート、図３は３色のデータの入力タイミングを示し、図１においてＬＥＤ表示装置は、３色ＬＥＤ２をマトリックス状に配置したＬＥＤ表示パネル１、ＬＥＤ点灯のための３系統の信号処理回路１０Ｒ，１０Ｇ，１０ＢがＸ方向に設けられ、Ｙ方向にはＲ，Ｇ，Ｂ共通のデコーダ１４とＹラインドライバ１５を備えている。信号処理回路１０Ｒ，１０Ｇ，１０Ｂは、それぞれシフトレジスタ１１Ｒ，１１Ｇ，１１Ｂと、ラッチ１２Ｒ，１２Ｇ，１２Ｂと、ドライバ回路１３Ｒ，１３Ｇ，１３Ｂとからなっている。シフトレジスタ１１Ｒと１１Ｂおよび１１Ｇには、それぞれ赤青ＬＥＤ点灯用データを生成する信号発生器１６ＲＢおよび緑ＬＥＤ点灯用データを生成する信号発生器１６Ｇが接続されている。
【００２０】
信号処理回路１０Ｒと１０Ｂのシフトレジスタ１１Ｒと１１Ｂは直列に接続されており、赤青ＬＥＤ点灯用データを生成する信号発生器１６ＲＢからの赤と青のデータを直列にして一本の信号線で２色のデータを送るようにしている。
【００２１】
次に、本実施の形態における動作について説明する。
【００２２】
図２（ａ）に示すように、Ｙ方向の点灯ラインを制御するアドレス信号は従来と同じであるが、シフトクロック信号は（ｂ）に示すように１６ドットのＬＥＤ表示パネル１で必要クロック数は３２クロックとなる。図２（ｃ）および図３に示すように、赤と青のデータを直列に混合した信号がシフトレジスタ１１Ｒと１１Ｂに送られる。シフトクロックの１７〜３２までは赤のデータ、１〜１６までは青のデータを入力する。緑の信号は、図２（ｄ）および図３に示すように、シフトクロックの１〜１６間はＬＥＤオフの信号とし、有効データとしてはクロックの１７〜３２に同期して入力する。
【００２３】
図４は本実施の形態におけるソフトウエア処理を示すものであり、（ａ）に示すように、コントローラの構成は、従来の図８に示すように、２つのビデオＲＡＭ１８ＲＢと１８Ｇを用い、（ｂ）に示すように、ソフトウエア処理で、赤と青の点灯データと、緑とダミーデータの点灯データを生成してＬＥＤ表示パネルに出力する。
【００２４】
このようにして、２色ＬＥＤ表示装置の信号発生器のソフトウエア変更だけでマルチカラー表示が可能なＬＥＤ表示装置が得られる。
【００２５】
なお、以上の説明では、２系統の信号発生器のうち、青データを赤信号生成用の信号発生器１６に赤データを混合するようにした例を示したが、青データを緑信号生成用の信号発生器を用いて混合するようにしても全く同様に実施可能である。
【００２６】
【発明の効果】
以上のように本発明によれば、２色のＬＥＤ表示装置から３色のマルチカラーＬＥＤ表示装置に変更する際に、２色ＬＥＤ表示装置の信号発生器のソフトウエア変更だけで容易にマルチカラー表示が可能となる。
【００２７】
これにより、既設の２色ＬＥＤ表示装置の制御回路が流用できることになるので、制御回路の新規開発が不要であり、少ない費用でマルチカラー化が可能となるという有用な効果を奏する。
【図面の簡単な説明】
【図１】本発明の実施の形態に係るＬＥＤ表示装置のブロック図
【図２】本実施の形態における制御信号のタイミングチャート
【図３】３色のデータの入力タイミングを示す波形図
【図４】本発明の実施形態におけるソフトウエア処理を示すもので、
（ａ）はコントローラブロック図
（ｂ）はフローチャート
【図５】従来の２色のＬＥＤ表示パネルの構成例を示す図
【図６】従来の２色のＬＥＤ表示パネルを用いたＬＥＤ表示装置のブロック図
【図７】従来のＬＥＤ表示装置における制御信号のタイミングチャート
【図８】従来の２色のＬＥＤ表示パネルにおけるソフトウエア処理を示すもので、
（ａ）はコントローラブロック図
（ｂ）はフローチャート
【図９】従来の３色のＬＥＤ表示パネルにおけるソフトウエア処理を示すもので、
（ａ）はコントローラブロック図
（ｂ）はフローチャート
【符号の説明】
１　ＬＥＤ表示パネル
２　ＬＥＤ
１０Ｒ，１０Ｇ，１０Ｂ　信号処理回路
１１Ｒ，１１Ｇ，１１Ｂ　シフトレジスタ
１２Ｒ，１２Ｇ，１２Ｂ　ラッチ
１３Ｒ，１３Ｇ，１３Ｂ　ドライバ回路
１４　デコーダ
１５　Ｙラインドライバ
１６ＲＢ，１６Ｇ　信号発生器
１７　データＲＡＭ
１８ＲＢ，１８Ｇ　ビデオＲＡＭ
１９　ＣＰＵ
【図１】
2004037698.tif 000003
【図２】
2004037698.tif 000004
【図３】
2004037698.tif 000005
【図４】
2004037698.tif 000006
【図５】
2004037698.tif 000007
【図６】
2004037698.tif 000008
【図７】
2004037698.tif 000009
【図８】
2004037698.tif 000010
【図９】
2004037698.tif 000011